(57)【要約】【課題】逆方向記録時においても、動画記録中に静止画撮影を行う。【解決手段】撮影画像を逆方向再生用に記録を行う逆方向動画記録手段と、動画記録の開始／終了と、静止画記録を指示する操作手段と、撮影画像を静止画画像としての記録する記録手段と、動画及び静止画を記録するメモリとを有し、動画記録に正方向再生用のビットストリームを生成し該ビットストリームを記録する第一のモードと、動画記録に逆方向再生用のビットストリームを生成し該ビットストリームを記録する第二のモードを持ち、モード毎にストップモーション画像の記録方法を変更する。【選択図】図１
2016208210.tif 000002
【特許請求の範囲】
【請求項１】
撮影画像を逆方向再生用に記録を行う逆方向動画記録手段と、
動画記録の開始／終了と、静止画記録を指示する操作手段と、
撮影画像を静止画画像としての記録する記録手段と、
動画及び静止画を記録するメモリとを有し、
動画記録に正方向再生用のビットストリームを生成し該ビットストリームを記録する第一のモードと、動画記録に逆方向再生用のビットストリームを生成し該ビットストリームを記録する第二のモードを持ち、モード毎にストップモーション画像の記録方法を変更することを特徴とする記録装置。
【発明の詳細な説明】
【技術分野】
【０００１】
本発明は、記録装置に関するものである。
【背景技術】
【０００２】
近年では、動画記録中に静止画撮影を行うことのできるデジタルカメラが一般的になってきている。
【０００３】
特許文献１では、動画記録中に静止画撮影を行った場合に、静止画撮影により中断した動画撮影における動画圧縮データファイルが、静止画を挟んで２つに分割されることを解消する方法について記載されている。
【０００４】
具体的には、静止画撮影期間の直前の１フレームを代替フレーム（以下、ストップモーション画像と呼ぶことにする。）とし、静止画撮影する期間だけその代替フレームを連続させて動画ファイルに格納することで、動画が分断しないようにするものである。
【０００５】
また動画記録の効果として、逆方向再生を目的として、動画記録に逆方向再生用のビットストリームを生成し該ビットストリームを記録することで、容易に逆方向で再生できる、逆方向記録方式がある。
【０００６】
特許文献２では、動画記録での動画像符号化方式に関し、リアルタイムに逆方向再生用ビットストリームを生成可能な、リアルタイム逆方向再生用動画像符号化方式が開示されている。
【先行技術文献】
【特許文献】
【０００７】
【特許文献１】特開2003-008948号公報
【特許文献２】特開平10-032787号公報
【発明の概要】
【発明が解決しようとする課題】
【０００８】
しかしながら、上述の特許文献に開示された従来技術では、逆方向記録方式での動画記録中に静止画撮影を行った場合、再生時にストップモーション画像と直前の動画像に連続性がなく、不意に映像が飛んでしまい不自然に感じてしまうという問題がある。
【０００９】
そこで、本発明の目的は、逆方向記録時においても、再生時の動画像とストップモーション画像に連続性を持たせたまま、動画記録中に静止画撮影を行うことを可能にした、動画記録装置を提供することにある。
【課題を解決するための手段】
【００１０】
上記の目的を達成するために、本発明の記録装置は、撮影画像を逆方向再生用に記録を行う逆方向動画記録手段と、動画記録の開始／終了と、静止画記録を指示する操作手段と、撮影画像を静止画画像としての記録する記録手段と、動画及び静止画を記録するメモリとを有し、動画記録に正方向再生用のビットストリームを生成し該ビットストリームを記録する第一のモードと、動画記録に逆方向再生用のビットストリームを生成し該ビットストリームを記録する第二のモードを持ち、モード毎にストップモーション画像の記録方法を変更することを特徴とする。
【発明の効果】
【００１１】
本発明によれば、逆方向記録時においても、再生時の動画像とストップモーション画像に連続性を持たせたまま、動画記録中に静止画撮影を行うことを可能にした、動画記録装置を提供することができる。
【図面の簡単な説明】
【００１２】
【図１】記録装置のブロック図である。
【図２】記録処理を示すフローチャートである。
【図３】動画ファイルのフレーム構成を示す図である。
【発明を実施するための形態】
【００１３】
以下に、本発明の好ましい実施の形態を、添付の図面に基づいて詳細に説明する。
【００１４】
図１は本発明の実施形態にかかわる特徴を最もよく表す画像記録再生装置の図面である。
【００１５】
Ｃ１は撮像部、Ｂ４はＣ１より撮像された撮像信号の処理を行う撮像信号処理回路である。Ｂ１は、記録再生可能なメモリーカード（Ｍ１）への記録、また再生データ処理を行うと共に、動画像記録データ処理や静止画像記録データ処理、さらに正方向動画記録や逆方向動画記録の符号化処理を含む記録再生データ処理回路である。Ｍ２はストップモーション画像を一時保存するバッファメモリである。Ｔ１は各種制御に用いるシステムタイマーである。
【００１６】
Ｂ２は各回路の動作指示やユーザーインターフェース制御するためのシステムコントローラーマイコンである。Ｂ３はメモリーカードコントローラー、Ｖ１は撮像画像や再生画像または、機器設定を行うためのメニュー等を表示するためのＬＣＤ液晶パネルである。ＳＷ１は動画記録を開始／停止するためのトリガースイッチ、ＳＷ２は静止画記録を行うためのレリーズスイッチ、ＳＷ３は正方向撮影モード／逆方向撮影モードを選択する記録モード選択スイッチ、ＳＷ４は記録されたシーンの再生を行う再生スイッチである。
【００１７】
撮影時におけるシーケンスとしては、撮像部にて撮像される画像は、レンズより画像記録再生装置としてのCCDに結像され撮像信号処理回路に於いて所定の読み出しタイミングによりＣＣＤから読み出される。読み出されたＣＣＤデータは撮像信号処理回路にてＡＷＢ／γ補正などの画像補正処理が施され画像データに変換され、記録再生データ処理回路に入力され、動画像または静止画像としてメモリーカード記録されると共に撮影画像モニターとしてＬＣＤパネルに画像データが表示される。
【実施例１】
【００１８】
以下、図２を参照して、本発明の第1の実施例による、記録装置について説明する。
【００１９】
図２は本発明を実施した画像記録再生装置の制御を行うシステムコントローラーマイコンのフローチャートである。このフローチャートに従い図１の画像記録再生装置での動画記録中のストップモーション画像の記録時のシーケンスを説明する。なお、ストップモーションを記録する秒数をＴｓとする。Ｔｓは、任意の長さでよい。
【００２０】
ステップＳ１００は、動画記録中にＳＷ２静止画撮影スイッチが押された場合に実施され、Ｓ１０１に進む。ステップＳ１０１では、動画記録を一時停止し、さらにシステムタイマーＴを起動して時間計測を開始し、Ｓ１０２に進む。
【００２１】
ステップＳ１０２では、動画記録のモード判定を行う。動画記録のモードは、動画記録の開始直前にＳＷ３により設定する。正方向撮影モードであればＳ２００に、逆方向撮影モードであればＳ３００にすすむ。
【００２２】
ステップＳ２００では、動画記録の最後の画像データを、Ｍ２画像メモリに保存する。
【００２３】
ステップＳ２０１では、静止画の撮影を実施する。ステップＳ２０２では、Ｍ２から画像を読み出し、ストップモーションとしてＴｓ秒記録する。たとえば、３０ｆｐｓの動画記録であれば、Ｍ２を３０×Ｔｓ枚連続して動画として記録する。
【００２４】
ステップＳ２０３では、システムタイマーＴが、Ｔｓだけ進んだかどうかを判定する。タイマーがＴｓに満たなければ再度タイマーＴの確認を繰り返す。タイマーがＴｓに達したら、Ｓ４００に進む。ステップＳ３００では、静止画の撮影を実施する。処理はＳ２０１と同じである。ステップＳ３０１では、システムタイマーＴが、Ｔｓだけ進んだかどうかを判定する。タイマーがＴｓに満たなければ再度タイマーＴの確認を繰り返す。タイマーがＴｓに達したら、Ｓ３０２に進む。ステップＳ３０２では、最新の画像データを、Ｍ２画像メモリに保存する。
【００２５】
ステップＳ３０３では、Ｍ２から画像を読み出し、ストップモーションとしてＴｓ秒記録する。たとえば、３０ｆｐｓの動画記録であれば、Ｍ２を３０×Ｔｓ枚連続して動画として記録する。ステップＳ４００では、動画記録を再開して、動画記録中静止画の撮影を終了する。
【００２６】
図３は本発明の実施例における動画ファイルのフレーム構成を示す図である。
【００２７】
動画フレームＡはＡ１からＡｎまでのフレームからなり、動画フレームＢはＢ１からＢｎまでの動画フレームからなる。フレームに付加された番号は、記録時間順に振られたものである。また、Ｃの静止画フレームは、全て同一のフレームにより構成される。１．正方向再生用の記録を行う第一のモードでは、Ｃの静止画フレームは動画フレームＡの最後のフレームＡｎと同一のものが記録される。２．逆方向再生用の記録を行う第二のモードでは、Ｃの静止画フレームは動画フレームＢの最初のフレームＢ１と同一のものが記録される。
【符号の説明】
【００２８】
Ｃ１  撮像部、Ｂ４  撮像信号処理回路
【図１】
2016208210.tif 000003
【図２】
2016208210.tif 000004
【図３】
2016208210.tif 000005